(57)【要約】【課題】主画像データと副画像データとを含むファイルの記憶処理を容易にする。【解決手段】撮像装置１は、撮像した画像から主画像データと副画像データとを含むファイルを生成するに先立ち、ファイルに含ませる副画像の枚数を設定する（ステップＳＡ２）。そして、この設定された副画像の個数に対応する副画像識別ＩＦＤ設定領域を設定した主画像ヘッダ１０１を生成する（ステップＳＡ３）。この後、記録指示を検出すると（ステップＳＡ５→Ｙｅｓ）、主画像データ、副画像データを生成し、副画像識別ＩＦＤ設定領域を修正する（ステップＳＡ６〜ＳＡ８）。そして、設定された枚数分副画像データが作成されたか、ファイル化の指示を検出すると、ファイル生成し、画像記録部８に記録する（ステップＳＡ９〜ＳＡ１１）。【選択図】 図２
2010051035.tif 000002
【特許請求の範囲】
【請求項１】
撮像手段と、
この撮像手段によって撮像された画像を一時的に記憶する第１の記憶手段と、
この第１の記憶手段に記憶された画像から少なくとも主画像データ、及び、副画像データを生成する第１のデータ生成手段と、
この第１のデータ生成手段によって生成された各画像データを一つのファイルとして記憶する第２の記憶手段と、
この第２の記憶手段にて前記主画像データと同一のファイルに記憶される前記副画像データの管理情報を予め設定された個数分確保し、前記主画像データの管理領域に設定する管理領域設定手段と、
前記第２の記憶手段に前記ファイルを記憶させるに際し、前記管理領域設定手段によって設定された内容に基づいて記憶するよう制御する第１の記憶制御手段と、
を備えたことを特徴とする画像記憶処理装置。
【請求項２】
前記撮像手段により撮像された画像、前記主画像データ、及び、前記副画像データの少なくとも一つから画像データを生成する第２のデータ生成手段と、
前記管理領域設定手段によって設定された管理情報の個数に基づき、前記第２のデータ生成手段によって生成された画像データを新たな副画像データとして前記ファイルに含めることが可能か否かを判断する第１の判断手段と、
この第１の判断手段によって前記ファイルに含めることが可能と判断されると、前記第２のデータ生成手段によって生成された画像データを副画像データとして前記第２の記憶手段に追加記憶させるとともに、前記管理領域の内容を書き換えるよう制御する第２の記憶制御手段と、
を更に備えたことを特徴とする請求項１記載の画像記憶処理装置。
【請求項３】
前記第２の記憶手段に記憶されたファイルに基づく画像を表示する表示手段と、
この表示手段に表示された画像について、新たな副画像データの生成を指示する第１の指示手段と、をさらに備え、
前記第２のデータ生成手段は、この第１の指示手段による指示に応答して、前記表示手段に表示された画像に対応するファイルの主画像データ若しくは副画像データから新たな画像データを生成することを特徴とする請求項２記載の画像記憶処理装置。
【請求項４】
前記第２の記憶手段に記憶されたファイルに基づく画像を表示する表示手段と、
この表示手段に表示された画像について、副画像データの生成を指示する第１の指示手段と、
この第１の指示手段による指示に応答して、画像データを新たに取得するために前記撮像手段に対し撮像するよう制御する撮像制御手段と、を更に備え、
前記第２のデータ生成手段は、この撮像制御手段により撮像された画像から新たな画像データを生成することを特徴とする請求項２記載の画像記憶処理装置。
【請求項５】
前記第２の記憶手段に記憶されたファイルに基づく画像を表示する表示手段と、
この表示手段に表示されている画像について削除を指示する第２の指示手段と、
この第２の指示手段によって指示された画像が主画像データに基づく画像か副画像データに基づく画像かを判断する第２の判断手段と、
この第２の判断手段によって削除が指示された画像が副画像データに基づく画像である場合、前記副画像データが含まれるファイルから前記副画像データを削除するとともに、このファイルの前記管理領域の内容を書き換えるよう制御する第３の記憶制御手段と、
を更に備えたことを特徴とする請求項１記載の画像記憶処理装置。
【請求項６】
前記第２の記憶手段に記憶された画像データに基づく画像を表示する表示手段と、
この表示手段に表示されている画像について非表示を指示する第３の指示手段と、
この第３の指示手段によって非表示が指示された画像が主画像データに基づく画像か副画像データに基づく画像かを判断する第３の判断手段と、
この第３の判断手段によって削除が指示された画像が副画像データに基づく画像である場合、この副画像データが含まれるファイルの管理領域にこの副画像データに基づく画像を非表示にする情報を書き込むよう制御する第４の記憶制御手段と、
を更に備えたことを特徴とする請求項１記載の画像記憶処理装置。
【請求項７】
前記表示手段に表示されている画像を削除するか、若しくは、非表示とするかを選択する選択手段と、
この選択手段によって前記画像の削除が選択されると前記第２の指示手段を実行させ、前記画像の非表示が選択されると前記第３の指示手段を実行させるよう制御する実行制御手段を更に備えたことを特徴とする請求項５及び６記載の画像記憶処理装置。
【請求項８】
前記第２の判断手段によって削除が指示された画像が主画像データに基づく画像である場合、この主画像データが含まれるファイル自体を削除する旨を報知する報知手段と、
この報知手段による報知に応答して削除の実行を検出する検出手段と、
この検出手段によって削除の実行を検出すると、前記第２の記憶手段から、前記表示されている画像に対応する主画像データが記憶されているファイル自体を削除するよう制御する第５の記憶制御手段と、
を備えたことを特徴とする請求項５又は７記載の画像記憶処理装置。
【請求項９】
前記表示手段に画像が表示されるとき、この画像に対応する画像データが含まれるファイルの容量を前記画像とともに表示するよう制御する第１の表示制御手段を更に備えたことを特徴とする請求項２乃至８の何れか記載の画像記憶処理装置。
【請求項１０】
前記表示手段に画像が表示されるとき、この画像に対応する画像データが含まれるファイルが有する副画像データの個数を前記画像とともに表示するよう制御する第３の表示制御手段を更に備えたことを特徴とする請求項２乃至８の何れか記載の画像記憶処理装置。
【請求項１１】
前記第３の表示制御手段は更に、前記管理領域の予め設定された領域分に対応する副画像データの個数を共に表示するよう制御することを特徴とする請求項１０記載の画像記憶処理装置。
【請求項１２】
前記第１のデータ生成手段は、前記第１の記憶手段に記憶された画像から更にサムネイル画像データを生成し、
前記副画像データは、前記主画像データと同じ解像度か若しくは前記サムネイル画像データより大きく且つ前記主画像データより小さい解像度のデータであることを特徴とする請求項１乃至１２の何れか記載の画像記憶処理装置。
【請求項１３】
撮像された画像を第１のメモリに記憶させる第１の記憶ステップと、
この第１の記憶ステップにて記憶された画像から少なくとも主画像データ、及び、副画像データを生成する第１のデータ生成ステップと、
この第１のデータ生成ステップにて生成された各画像データを一つのファイルとして第２のメモリに記憶させる第２の記憶ステップと、
この第２の記憶ステップにて前記主画像データと同一のファイルに記憶される前記副画像データの管理情報を予め設定された個数分確保し、前記主画像データの管理領域に設定する管理領域設定ステップと、を含み、
前記第２の記憶ステップは、前記第２のメモリに前記ファイルを記憶させるに際し前記管理領域設定ステップにて設定された内容に基づいて記憶させる
ことを特徴とする画像記憶処理方法。
【請求項１４】
画像記憶処理装置が有するコンピュータを、
撮像された画像を第１のメモリに記憶させる第１の記憶手段、
この第１の記憶手段によって記憶された画像から少なくとも主画像データ、及び、副画像データを生成する第１のデータ生成手段、
この第１のデータ生成手段によって生成された各画像データを一つのファイルとして第２のメモリに記憶させる第２の記憶手段、
この第２の記憶手段によって前記主画像データと同一のファイルに記憶される前記副画像データの管理情報を予め設定された個数分確保し、前記主画像データの管理領域に設定する管理領域設定手段、
前記第２の記憶手段によって前記第２のメモリに前記ファイルを記憶させるに際し、前記管理領域設定手段によって設定された内容に基づいて記憶するよう制御する記憶制御手段、
として機能させることを特徴とする記憶処理プログラム。
【発明の詳細な説明】
【技術分野】
【０００１】
本発明は、画像をファイル化して記憶する画像記憶処理装置、画像記録処理方法、及び、記録処理プログラムに関する。
【背景技術】
【０００２】
従来より、撮像装置等、撮像した画像をファイル化して記録する機器においては、画像を記録するに際し、カメラファイルシステム規格（Ｄｅｓｉｇｎ  ｒｕｌｅ  Ｃａｍｅｒａ  Ｆｉｌｅ  ｓｙｓｔｅｍ、以下ＤＣＦ規格という）、又はこれに併用される、Ｅｘｉｆ（Ｅｘｃｈａｎｇｅａｂｌｅ  ｉｍａｇｅ  ｆｉｌｅ  ｆｏｒｍａｔ  ｆｏｒ  ｄｉｇｉｔａｌ  ｃａｍｅｒａ）フォーマットにてファイル化して記録することが一般的に行なわれている。
【０００３】
そして、このファイル化までの行程においては各種改善技術が考案されている。その一例としては、例えば、撮影後、主画像データ、非圧縮の副画像データ、及び、圧縮された副画像データを生成し、その後、主画像データのサイズを判別し、このサイズが所定以下、つまり、主画像データの解像度が高くない場合は、主画像データと圧縮された副画像データとを含むファイルを生成することでファイルサイズを小さくする技術が考案されている（特許文献）。
【先行技術文献】
【特許文献】
【０００４】
【特許文献１】特開２０００−２６１７５６号公報
【発明の概要】
【発明が解決しようとする課題】
【０００５】
上記の如く、画像のファイル化技術に関しては、様々な改善技術が提案されている。
しかしながら、従来のファイル化技術は、単一の画像については主画像データと副画像データのみを同じファイルに含めることを前提に考えられているため、例えば、連続撮影された複数の画像、２乃至３枚の画像を合成して生成するパノラマ画像、及び、多視点方向から撮影された複数の画像については、その画像の数に対応するファイルが生成され、これらを関連付けるにはこれら生成されたファイル以外で管理領域を生成し、その管理領域で複数の画像ファイルを関連付けさせるという手間がかかっていた。
【０００６】
また、このような問題を解決すべく複数の画像データを一つのファイルに含めて記憶管理させようとすると、このファイルに新たに画像データを追加したり、逆に画像データを削除したりする毎にファイルシステムが変更されるので、画像ファイルの記憶管理が煩雑になるという問題が予想される。
【０００７】
本発明は上記の問題点に鑑みてなされたものであり、主画像データと副画像データとを含むファイルの記憶処理を容易にすることを目的とする。
【課題を解決するための手段】
【０００８】
請求項１記載の発明は、撮像手段と、この撮像手段によって撮像された画像を一時的に記憶する第１の記憶手段と、この第１の記憶手段に記憶された画像から少なくとも主画像データ、及び、副画像データを生成する第１のデータ生成手段と、この第１のデータ生成手段によって生成された各画像データを一つのファイルとして記憶する第２の記憶手段と、この第２の記憶手段にて前記主画像データと同一のファイルに記憶される前記副画像データの管理情報を予め設定された個数分確保し、前記主画像データの管理領域に設定する管理領域設定手段と、前記第２の記憶手段に前記ファイルを記憶させるに際し、前記管理領域設定手段によって設定された内容に基づいて記憶するよう制御する第１の記憶制御手段と、を備えたことを特徴とする。
【０００９】
請求項２記載の発明は、上記請求項１記載の発明において、前記撮像手段により撮像された画像、前記主画像データ、及び、前記副画像データの少なくとも一つから画像データを生成する第２のデータ生成手段と、前記管理領域設定手段によって設定された管理情報の個数に基づき、前記第２のデータ生成手段によって生成された画像データを新たな副画像データとして前記ファイルに含めることが可能か否かを判断する第１の判断手段と、この第１の判断手段によって前記ファイルに含めることが可能と判断されると、前記第２のデータ生成手段によって生成された画像データを副画像データとして前記第２の記憶手段に追加記憶させるとともに、前記管理領域の内容を書き換えるよう制御する第２の記憶制御手段と、を更に備えたことを特徴とする。
【００１０】
請求項３記載の発明は、上記請求項２記載の発明において、前記第２の記憶手段に記憶されたファイルに基づく画像を表示する表示手段と、この表示手段に表示された画像について、新たな副画像データの生成を指示する第１の指示手段と、をさらに備え、前記第２のデータ生成手段は、この第１の指示手段による指示に応答して、前記表示手段に表示された画像に対応するファイルの主画像データ若しくは副画像データから新たな画像データを生成することを特徴とする。
【００１１】
請求項４記載の発明は、上記請求項２記載の発明において、前記第２の記憶手段に記憶されたファイルに基づく画像を表示する表示手段と、この表示手段に表示された画像について、副画像データの生成を指示する第１の指示手段と、この第１の指示手段による指示に応答して、画像データを新たに取得するために前記撮像手段に対し撮像するよう制御する撮像制御手段と、を更に備え、前記第２のデータ生成手段は、この撮像制御手段により撮像された画像から新たな画像データを生成することを特徴とする。
【００１２】
請求項５記載の発明は、上記請求項１記載の発明において、前記第２の記憶手段に記憶されたファイルに基づく画像を表示する表示手段と、この表示手段に表示されている画像について削除を指示する第２の指示手段と、この第２の指示手段によって指示された画像が主画像データに基づく画像か副画像データに基づく画像かを判断する第２の判断手段と、この第２の判断手段によって削除が指示された画像が副画像データに基づく画像である場合、前記副画像データが含まれるファイルから前記副画像データを削除するとともに、このファイルの前記管理領域の内容を書き換えるよう制御する第３の記憶制御手段と、を更に備えたことを特徴とする。
【００１３】
請求項６記載の発明は、上記請求項１記載の発明において、前記第２の記憶手段に記憶された画像データに基づく画像を表示する表示手段と、この表示手段に表示されている画像について非表示を指示する第３の指示手段と、この第３の指示手段によって非表示が指示された画像が主画像データに基づく画像か副画像データに基づく画像かを判断する第３の判断手段と、この第３の判断手段によって削除が指示された画像が副画像データに基づく画像である場合、この副画像データが含まれるファイルの管理領域にこの副画像データに基づく画像を非表示にする情報を書き込むよう制御する第４の記憶制御手段と、を更に備えたことを特徴とする。
【００１４】
請求項７記載の発明は、上記請求項５及び６記載の発明において、前記表示手段に表示されている画像を削除するか、若しくは、非表示とするかを選択する選択手段と、この選択手段によって前記画像の削除が選択されると前記第２の指示手段を実行させ、前記画像の非表示が選択されると前記第３の指示手段を実行させるよう制御する実行制御手段を更に備えたことを特徴とする。
【００１５】
請求項８記載の発明は、上記請求項５又は７記載の発明において、前記第２の判断手段によって削除が指示された画像が主画像データに基づく画像である場合、この主画像データが含まれるファイル自体を削除する旨を報知する報知手段と、この報知手段による報知に応答して削除の実行を検出する検出手段と、この検出手段によって削除の実行を検出すると、前記第２の記憶手段から、前記表示されている画像に対応する主画像データが記憶されているファイル自体を削除するよう制御する第５の記憶制御手段と、を備えたことを特徴とする。
【００１６】
請求項９記載の発明は、上記請求項２乃至８の何れか記載の発明において、前記表示手段に画像が表示されるとき、この画像に対応する画像データが含まれるファイルの容量を前記画像とともに表示するよう制御する第１の表示制御手段を更に備えたことを特徴とする。
【００１７】
請求項１０記載の発明は、上記請求項２乃至８の何れか記載の発明において、前記表示手段に画像が表示されるとき、この画像に対応する画像データが含まれるファイルが有する副画像データの個数を前記画像とともに表示するよう制御する第３の表示制御手段を更に備えたことを特徴とする。
【００１８】
請求項１１記載の発明は、上記請求項１０記載の発明において、前記第３の表示制御手段は更に、前記管理領域の予め設定された領域分に対応する副画像データの個数を共に表示するよう制御することを特徴とする。
【００１９】
請求項１２記載の発明は、上記請求項２乃至８の何れか記載の発明において、前記第１のデータ生成手段は、前記第１の記憶手段に記憶された画像から更にサムネイル画像データを生成し、前記副画像データは、前記主画像データと同じ解像度か若しくは前記サムネイル画像データより大きく且つ前記主画像データより小さい解像度のデータであることを特徴とする。
【００２０】
請求項１３記載の発明は、撮像された画像を第１のメモリに記憶させる第１の記憶ステップと、この第１の記憶ステップにて記憶された画像から少なくとも主画像データ、及び、副画像データを生成する第１のデータ生成ステップと、この第１のデータ生成ステップにて生成された各画像データを一つのファイルとして第２のメモリに記憶させる第２の記憶ステップと、この第２の記憶ステップにて前記主画像データと同一のファイルに記憶される前記副画像データの管理情報を予め設定された個数分確保し、前記主画像データの管理領域に設定する管理領域設定ステップと、を含み、前記第２の記憶ステップは、前記第２のメモリに前記ファイルを記憶させるに際し前記管理領域設定ステップにて設定された内容に基づいて記憶させることを特徴とする。
【００２１】
請求項１４記載の発明は、画像記憶処理装置が有するコンピュータを、撮像された画像を第１のメモリに記憶させる第１の記憶手段、この第１の記憶手段によって記憶された画像から少なくとも主画像データ、及び、副画像データを生成する第１のデータ生成手段、 この第１のデータ生成手段によって生成された各画像データを一つのファイルとして第２のメモリに記憶させる第２の記憶手段、この第２の記憶手段によって前記主画像データと同一のファイルに記憶される前記副画像データの管理情報を予め設定された個数分確保し、前記主画像データの管理領域に設定する管理領域設定手段、前記第２の記憶手段によって前記第２のメモリに前記ファイルを記憶させるに際し、前記管理領域設定手段によって設定された内容に基づいて記憶するよう制御する記憶制御手段、として機能させることを特徴とする。
【発明の効果】
【００２２】
本発明によれば、主画像データと副画像データとを含むファイルの記憶処理を容易とすることが可能になる。
【図面の簡単な説明】
【００２３】
【図１】本発明の一実施の形態に係る撮像装置の回路構成図である。
【図２】本発明の実施の形態における撮像、及び、新規ファイル生成処理のフローチャートである。
【図３】同実施の形態におけるファイル構成を示す図である。
【図４】同実施の形態における表示例である。
【図５】本発明の実施の形態における撮像、及び、新規ファイル生成処理（変形例）のフローチャートである。
【図６】同実施の形態におけるファイル構成を示す図である。
【図７】本発明の実施の形態における副画像データの追加記録処理のフローチャートである。
【図８】同実施の形態におけるファイル構成を示す図である。
【図９】同実施の形態における表示例である。
【図１０】本発明の実施の形態における画像データの削除処理のフローチャートである。
【図１１】同実施の形態におけるファイル構成を示す図である。
【図１２】同実施の形態における表示例である。
【発明を実施するための形態】
【００２４】
以下、本発明の一実施の形態を図に従って説明する。
【００２５】
Ａ．回路構成
図１は、画像記憶処理装置としての撮像装置１の概略構成を示すブロック図である。この撮像装置１は、バスライン１４を介して各部に接続された制御部１１を備えている。制御部１１は、画像記憶処理装置１の各部を制御するワンチップマイコンである。
同図において撮像レンズ２は、詳細には光学系部材を実装するレンズユニットである。
撮像部３は、ＣＭＯＳ等のイメージセンサからなり上述の撮像レンズ２の光軸上に配置されている。ユニット回路４は、撮像部３から出力される被写体の光学像に応じたアナログの撮像信号が入力される回路であって、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤＣ）等から構成されている。
【００２６】
撮像部３の出力信号はユニット回路４を経て各々デジタル信号として画像処理部５に送られて、各種画像処理が施されるとともに、プレビューエンジン７にて縮小加工されて、表示部１２に供給される。そして、供給されたデジタル信号（撮像信号）とこの表示部１２が内蔵するドライバを駆動する駆動制御信号とが表示部１２に入力されると、表示部１２はこのデジタル信号（撮像信号）に基づく画像をスルー画像として下位レイヤーに表示する。
また、画像記録時において、画像処理部５で処理された信号は、符号化／復号化処理部６で圧縮符号化され、後述するファイル形式でファイル化されて画像記録部８に記録され、画像再生時において、画像記録部８から読み出された画像ファイルに含まれる主画像データや副画像データは符号化／復号化処理部６で復号化されて表示部１２に表示される。
【００２７】
プレビューエンジン７は、上記スルー画像の生成の他、画像記録時において画像記録部８に記録される直前の画像を表示部１２に表示させる際に必要な制御を行う。なお、キー入力部１３は、シャッターキー、カーソルキー、決定キー、クリアキー等で構成されている。
さらに、バスライン１４には、作業用のデータや中間ファイルを一時的に記憶するＲＡＭ１０、及び、プログラムメモリ９が接続されている。プログラムメモリ９には、後述するフローチャートに示す処理を実行するプログラムを記憶する。
【００２８】
Ｂ１．撮像、及び、新規ファイル生成処理
次に、撮像装置１における撮像処理からファイル生成までの処理について説明する。
図２は撮影（撮像）から画像記録部８への記録までの処理を示すフローチャートである。
制御部１１はキー入力部１３にて検出される所定の操作により撮影モードの起動が指示されると、プログラムメモリ９から撮像処理に係るプログラムを読み出して実行し、撮像部３、ユニット回路５、画像処理部５、ＲＡＭ１０、符号化／復号化処理部６、及び、プレビューエンジン７に初期動作を行わせる（スタート状態）。
そして、撮像レンズ２を介して撮像部３に結像された画像に基づいて、周期的にユニット回路４にてデジタル信号に変換、及び、画像信号処理部５にて画像データに加工し、その結果得られた映像（画像）を表示部１２にスルー表示させる（ステップＳＡ１）。
【００２９】
次に、このスルー表示状態において、キー入力部１３にて検出される所定の操作により副画像の枚数設定操作を検出したか否かを判断する（ステップＳＡ２）。副画像の枚数設定操作を検出しなかった場合（ステップＳＡ２→Ｎｏ）、再度スルー表示状態に移行し（ステップＳＡ１５）、撮像部３にて結像される画像の記録指示の検出を待ち（ステップＳＡ１６）、記録指示が検出されると（ステップＳＡ１６→Ｙｅｓ）、その時に撮像部３にて結像された画像に対応する画像データがＲＡＭ１０に一時的に記憶され、その後、制御部１１の制御に基づき符号化／復号化処理部６が、上記ＤＣＦ規格（Ｅｘｉｆフォーマット）に準拠する形式のファイルを生成（ステップＳＡ１７）、そして生成されたファイルを画像記録部８に記録し（ステップＳＡ１８）、スルー表示状態にリターンする。
【００３０】
一方、副画像の枚数設定操作を検出した場合（ステップＳＡ２→Ｙｅｓ）、その設定された副画像枚数に基づいて副画像識別ＩＦＤ設定領域（Ｉｍａｇｅ  Ｆｉｌｅ  Ｄｉｒｅｃｔｏｒｙ）の個数を設定し、主画像ヘッダに生成する（ステップＳＡ３）。尚、ファイル生成を含め、詳細な技術説明については、図３を用いて後述する。
副画像枚数が設定された後は、スルー表示状態において表示される画像とともに、設定された副画像枚数が表示される（ステップＳＡ４）。
【００３１】
図４（ａ）はこの時の表示部１２の表示状態を示すものである。同図において、表示部１２には、レーシングカーの映像とともに、情報表示領域１２０に設定された副画像の枚数（副画像データの個数）を“Ｔｏｔａｌ”、及び、記録した副画像の枚数（副画像データの個数）を“Ｕｓｅ”と定義し、各枚数について夫々表示している。また、同図では、副画像枚数を１０枚（副画像識別ＩＦＤ設定領域の数を１０）、そして、そのうち、記録された副画像枚数を０枚（記録済みの副画像識別ＩＦＤ設定領域の数を０）として表示している。
【００３２】
このスルー表示状態において、撮像部３にて結像される画像の記録指示の検出を待ち（ステップＳＡ５）、記録指示が検出されると（ステップＳＡ５→Ｙｅｓ）、その時に撮像部３にて結像された画像に対応する画像データがＲＡＭ１０に一時的に記憶され、その後、制御部１１の制御に基づき符号化／復号化処理部６が圧縮符号化処理（主画像データの生成）を行なう（ステップＳＡ６）。
そして、その後、撮像部３にて結像される画像や、ＲＡＭ１０において一時的に記憶された画像データについて、上記の設定操作とは別に操作者の操作により、或いは、プログラムメモリ９に格納されている撮影プログラムにより予め設定された副画像の個数分、符号化／復号化処理部６が圧縮符号化処理（副画像データの生成）を行なう（ステップＳＡ７）。
【００３３】
尚、上記の設定操作とは別の操作者の操作とは、例えば、連続撮影を実行する操作や、パノラマ撮影、多視点（マルチアングル）撮影等が含まれる。一方、プログラムメモリ９に格納されている撮影プログラムには、自動的に所定枚数を連続的に撮影するプログラムや、露出値、シャッター速度、ホワイトバランスなどの各撮影条件を自動的に切り換えて撮影するプログラムが含まれる。また、ＲＡＭ１０において一時的に記憶された画像データに対し副画像データの生成を行なう処理とは、例えば、一時的に記憶された画像データに対して、解像度や、記憶容量、記憶サイズ、及び、圧縮率を変えた別の画像データを生成する処理が含まれる。
【００３４】
上記の副画像データの生成が終了すると、制御部１１は、生成された副画像データの個数分、ステップＳＡ３にて主画像ヘッダに設定（生成）された副画像識別ＩＦＤ設定領域の個数を“Ｎｏｎ−ｕｓｅ（未使用）”から“Ａｃｔｉｖｅ（記録済み）”に修正し、生成された副画像データのＳＯＩマーカー（データの先頭を示す情報）を関連付けする（ステップＳＡ８）。
その後、制御部１１は、ステップＳＡ３にて予め設定した副画像枚数分、記録したか否か、すなわち、副画像識別ＩＦＤ設定領域が全て“Ａｃｔｉｖｅ”になったか否かを判断する（ステップＳＡ９）。そして、全て“Ａｃｔｉｖｅ”の場合は（ステップＳＡ９→Ｙｅｓ）、上記主画像ヘッダ、主画像データ及び、副画像データを含むファイルの生成処理を行い（ステップＳＡ１０）、生成処理されたファイルを画像記録部８に記録し（ステップＳＡ１１）、スルー表示状態にリターンする。
【００３５】
一方、副画像識別ＩＦＤ設定領域が全て“Ａｃｔｉｖｅ”でないと判断した場合（ステップＳＡ９→Ｎｏ）、制御部１１は、直ちにファイル生成することなく、キー入力１３の操作検出によるファイル化指示検出を待つ（ステップＳＡ１２）。ファイル化指示を検出した場合（ステップＳＡ１２→Ｙｅｓ）はステップＳＡ１０にてファイル化処理を行うが、ファイル化指示を検出しない場合（ステップＳＡ１２→Ｎｏ）は、スルー表示状態において表示部１２に画像とともに、設定された副画像枚数、記録済みの副画像枚数、及び、未使用の副画像枚数（副画像の残枚数）を表示する（ステップＳＡ１３）。
【００３６】
図４（ｂ）はこの時の表示部１２の表示状態を示すものである。同図において、表示部１２には、レーシングカーの映像とともに、情報表示領域１２１に設定された副画像の枚数（副画像データの個数）を“Ｔｏｔａｌ”、記録した副画像の枚数（副画像データの個数）を“Ｕｓｅ”、さらにこれに加えて、記録できる副画像の残枚数（副画像データの個数）を“ＲＥＭ”と定義し、各枚数について夫々表示している。また、同図では、副画像枚数を１０枚（副画像識別ＩＦＤ設定領域の数を１０）、そして、そのうち、記録された副画像枚数を３枚（記録済みの副画像識別ＩＦＤ設定領域の数を３）、更に記録可能な副画像枚数を７枚（記録済みの副画像識別ＩＦＤ設定領域の数を７）として表示している。
【００３７】
そして、このスルー表示状態において、記録指示の検出を待ち（ステップＳＡ１４）、記録指示が検出されると（ステップＳＡ１４→Ｙｅｓ）、ステップＳＡ７に戻り、撮像部３にて結像される画像や、ＲＡＭ１０において一時的に記憶された画像データについて、上記の設定操作とは別に操作者の操作により、或いは、プログラムメモリ９に格納されている撮影プログラムにより予め設定された副画像の個数分、符号化／復号化処理部６が圧縮符号化処理（副画像データの生成）を行なう。
次に、上記のフローチャートにおいて生成されるファイルの生成過程を、図４を用いて詳述する。
【００３８】
図３（ａ）〜（ｄ）は、図２のフローチャートにて生成される生成過程途中のファイル構成を示したものである。
同図において、このファイルは、上記ＤＣＦ規格（Ｅｘｉｆフォーマット）に準拠する形式になっているが、主画像ヘッダは副画像データの管理領域を含み、主画像データに関連付けられて１乃至複数の副画像データが含まれている点で異なっている。
【００３９】
同ファイル１００は、主画像ヘッダ１０１、主画像データ設定領域１０２、及び、副画像データ設定領域１０３０、１０３１、１０３２、…１０３９とで構成されている。また、主画像ヘッダ１０１には、上記ＤＣＦ規格（Ｅｘｉｆフォーマット）に準拠する、画像入力機器のメーカー名、モデル名、原画像データの生成日時、デジタルデータの生成日時、互換識別インデックス、及び、バージョン等のＥｘｉｆ必須タグが設定される基本情報設定領域１０１０、主画像データのサムネイル画像データが設定されるサムネイル画像データ設定領域１０１１、及び、副画像データ数を管理する情報や、副画像インデックスＩＦＤタグを含み、副画像識別ＩＦＤ設定領域２００〜２０９を設定管理する管理領域１０１２が書き込まれる。尚、副画像識別ＩＦＤ設定領域２００〜２０９はそれ自体、副画像種別や、副画像データオフセット、副画像ユニークＩＤ、従属する副画像識別ＩＦＤ、及び、Ｏｆｆｓｅｔ  ｏｆ  Ｎｅｘｔ  ＩＦＤを夫々記憶する領域を備えている。
【００４０】
主画像データは主画像データ設定領域１０２に書き込まれる。また、副画像データ設定領域１０３０〜１０３９には夫々、副画像のサムネイル画像データや副画像属性情報、及び、副画像データ単体のＥｘｉｆ必須タグが設定される副画像ヘッダ３０１と副画像データ設定領域３０２が書き込まれる。尚、サムネイル画像データが副画像ヘッダ３０１に設定される関係上、副画像データ自体はサムネイル画像データのサイズ（縦１２０×横１６０）よりも実質的に大きいサイズであることが前提である。
【００４１】
図３（ａ）に図示する内容は、図２のフローチャートのステップＳＡ３の時点を示している。つまり、ステップＳＡ３にて副画像枚数が設定されると、これに基づいて管理領域１０１２に副画像識別ＩＦＤ設定領域の個数を設定する。１０個設定する場合、副画像識別ＩＦＤ設定領域は２００〜２０９の１０個になり、これらの副画像識別ＩＦＤ Ｎｏ．（ＩＦＤ００〜０９）には、“Ｎｏｎ−ｕｓｅ”が設定される。そして、この管理領域１０１２を含めた主画像ヘッダ１０１の設定領域（Ａのラインまで）が確保され、副画像データが上記の設定操作に沿って最大１０個生成された場合を仮定したファイル構成（図３（ｃ）において、破線で描画した領域に相当）が仮決定される。
【００４２】
図３（ｂ）に図示する内容は、図２のフローチャートのステップＳＡ６の時点を示している。つまり、ステップＳＡ６にて主画像データが生成されると、主画像データのサムネイル画像データがサムネイル画像データ設定領域１０１１に、また、主画像データが主画像データ設定領域１０２に夫々書き込まれ、この領域（Ｂのライン）までが確保される。
図３（ｃ）に図示する内容は、図２のフローチャートのステップＳＡ７の時点を示している。つまり、ステップＳＡ７にて副画像データ（例えば３個）が生成されると、夫々の副画像データ設定領域１０３０〜１０３２の３つの領域について、副画像データが書き込まれる。すなわち、これら３つの副画像について、サムネイル画像データが副画像ヘッダ３０１のサムネイル画像データが設定される領域に、また、夫々の副画像データが副画像データ設定領域３０２に夫々書き込まれ、この領域（Ｃのライン）までが確保される。
【００４３】
図３（ｄ）に図示する内容は、図２のフローチャートのステップＳＡ８の時点を示している。つまり、ステップＳＡ７にて副画像データが書き込まれると、その時点で主画像データと副画像データとが含まれるファイルの構成が確定しているので（図３（ｃ）において、実線で描画した領域に相当）、副画像識別ＩＦＤ設定領域（ＩＦＤ００〜０２）の“Ｎｏｎ−ｕｓｅ”は“Ａｃｔｉｖｅ”に修正され、副画像データ夫々のＳＯＩマーカーを関連付けされる。
そして、ステップＳＡ１０でファイルが生成される際は、図３（ｄ）の実線で描画された領域でファイル生成され画像記録部８に記録される。
【００４４】
このように、本フローチャートによれば、撮像装置で副画像データが含まれるファイルを生成する場合において、事前に副画像データの個数（副画像の枚数）を設定することにより、その後のファイル構築に要する処理の負担が少なくて済むという効果が得られる。
また、撮像時において記録した副画像データの個数が事前に設定した数に満たない場合、副画像の新規の記録を継続して行なうことができるという効果が得られる。
【００４５】
更に、スルー表示状態において、事前に設定した副画像データの個数、記録済みの副画像データの個数、更には、新規に追加可能な副画像データの個数を表示するので、操作者にとって、「後何枚副画像を記録できるのか？」を容易に把握できるという効果が得られる。
更にまた、事前に設定した個数の副画像データを記録しなくても、ファイル生成までのプロセスを容易に終了させることができるという効果が得られる。
【００４６】
Ｂ２．撮像、及び、新規ファイル作成処理（変形例）
次に、撮像装置１における撮像処理からファイル生成までの処理の変形例について説明する。
図５は撮影（撮像）から画像記録部８への記録までの処理を示すフローチャートである。尚、撮像装置１の回路構成や上記Ｂ１のフローチャートと共通する箇所についてはその説明を省略する。
【００４７】
まず、制御部１１は、図２のステップＳＡ３にてＹｅｓ、すなわち、副画像の枚数設定操作を検出した場合、図４（ａ）に図示するように、スルー表示状態において表示される画像とともに、設定された副画像枚数が表示する（ステップＳＡ２１）。
そして、このスルー表示状態において、撮像部３にて結像される画像の記録指示の検出を待ち（ステップＳＡ２２）、記録指示が検出されると（ステップＳＡ２２→Ｙｅｓ）、その時に撮像部３にて結像された画像に対応する画像データがＲＡＭ１０に一時的に記憶されるとともに、ＲＡＭ１０に主画像ヘッダの中間ファイルを生成する（ステップＳＡ２３）。
【００４８】
次に、撮像部３にて結像された画像に対応する主画像データ、及び、副画像データを符号化／復号化処理部６にて生成させ（ステップＳＡ２４）、これら生成された主画像データ、副画像データについて副画像識別ＩＦＤ設定領域の設定・書き込みを含む各情報を主画像ヘッダに書き込み（ステップＳＡ２５）、書き込みが完了したか否かを判断する（ステップＳＡ２６）、
書き込みが完了していない場合は上記のステップＳＡ２５に戻るが、書き込みが完了したと判断すると、図２のステップＳＡ１０、すなわち、上記主画像ヘッダ、主画像データ及び、副画像データを含むファイルの生成処理を行う。
【００４９】
図６（ａ）〜（ｄ）は、図５のフローチャートにて生成される生成過程途中のファイル構成を示したものである。
同図において、各参照番号で定義される構成は上記図３（ａ）〜（ｄ）と同様なのでその説明は省略するが、図６（ａ）に図示する内容は、図５のフローチャートのステップＳＡ２３の時点を示している。つまり、ステップＳＡ３にて副画像枚数が設定されると、制御部１１はこれを検出し、これから生成されるファイルは主画像データ、副画像データが含まれるファイルであるものと判断し、ＲＡＭ１０にこのファイル形式に対応する主画像ヘッダの中間ファイルを書き込んで記憶領域を確保する（図中破線で囲まれた領域）。
【００５０】
図６（ｂ）に図示する内容は、図５のフローチャートのステップＳＡ２５の途中の状態を示している。つまり、ステップＳＡ２４にて主画像データ、及び、副画像データが生成されると、主画像データのサムネイル画像データがサムネイル画像データ設定領域１０１１に、また、主画像データが主画像データ設定領域１０２に夫々書き込まれる。また、これとほぼ同じくして、副画像データ（例えば４個）が生成されると、夫々の副画像データ設定領域１０３０〜１０３３の４つの領域について仮確保、そのうち、１０３０〜１０３１までが書き込まれ、Ｄ１のラインまでが確保されている。更に、書き込まれた副画像データの個数が確定しているので、副画像識別ＩＦＤ設定領域（ＩＦＤ００〜０１）について、“Ａｃｔｉｖｅ”を設定し、Ｄ２のラインまでが確保されている。
【００５１】
尚、ＲＡＭ１０における主画像データ、及び、副画像データのデータ設定領域には、開始オフセットをクラスタ境界に合わせ、各データのサイズをクラスタサイズの倍数になるようダミーデータ（０ｘ００）が付加されており、書き込み時に不用意にデータが移動しファイル構成を大幅に書き換えるという不具合が無くすようにしておく。
【００５２】
図６（ｃ）に図示する内容は、図５のフローチャートのステップＳＡ２５の最終状態を示している。つまり、図６（ｂ）にて書き込み途中だった副画像データが書き込まれて、夫々の副画像データ設定領域１０３０〜１０３３の４つの領域について確保され（Ｅ１のライン）、更に、書き込まれた副画像データに対応する副画像識別ＩＦＤ設定領域（ＩＦＤ００〜０３）について、“Ａｃｔｉｖｅ”を設定し、Ｅ２のラインまでが確保されている。
【００５３】
図６（ｄ）に図示する内容は、図５のフローチャートのステップＳＡ２６（Ｙｅｓ）の状態を示している。つまり、中間ファイルとして完成した主画像ヘッダ１０１、及び主画像データ設定領域１０２、副画像データ設定領域１０３０〜１０３３について、一つのファイルとして結合すべく、ダミーデータを削除する処理を行っている。
このように、本フローチャートによれば、ファイル生成までのプロセスにおいて時間的な短縮を図ることできる。
したがって連続撮影処理等、短時間で多数の画像データを生成した場合に有効である。
【００５４】
Ｃ．副画像データ追加記録処理
次に、撮像装置１における副画像データの追加・記録処理について説明する。
図７は副画像データの追加処理を示すフローチャートである。
同図において、撮像装置１は、撮影モード、若しくは、再生モードで動作し、本フローチャートでは、キー入力部１３からの所定の操作を検出することにより、画像記録部８に記録されたファイルの夫々に格納される画像の表示（プレビュー画像の読み出し表示）が指示された状態をスタート状態とする。
【００５５】
制御部１１は、画像の表示（プレビュー画像の読み出し表示）が指示されると、キー入力部１３にて検出される選択操作に従い、画像記録部８に記録されているファイルから主画像データを読み出す（ステップＳＢ１）。そして、読み出されたファイルの主画像ヘッダ１０１に管理領域１０１２が設定されているか否かを判断する（ステップＳＢ２）。
【００５６】
管理領域１０１２が設定されていないと判断すると（ステップＳＢ２→Ｎｏ）、通常の画像ファイルの読み出し・表示処理に移行するが（ステップＳＢ３）、管理領域１０１２が設定されていると判断すると（ステップＳＢ２→Ｙｅｓ）、このファイルには主画像データと副画像データとが含まれていると判断する。そして、主画像データを表示部１２が要求する解像度に合わせてリサンプリング（間引き処理）を行ってプレビュー画像を生成して表示部１２に表示させる。
また、これとともに、主画像ヘッダ１０１に記録されている各情報、副画像データの副画像ヘッダ３０１の各情報、及び、管理領域１０１２の副画像識別ＩＦＤ設定領域の設定内容を読み出して、これらの情報に基づいて、このファイルの容量、副画像データの設定個数、記録済みの副画像データの個数、及び、未使用の副画像枚数（副画像の残枚数）を表示する（ステップＳＢ４）。
【００５７】
図８（ａ）はこの時の表示部１２の表示状態を示すものである。同図において、表示部１２には、レーシングカーの画像とともに、情報表示領域１２２には、このファイルの容量（５．２５ＭＢ）、設定された副画像の枚数（副画像データの個数“Ｔｏｔａｌ １０”）、記録済みの副画像の枚数（副画像データの個数“Ｕｓｅ ３”）、及び、追加記録できる副画像の残枚数（副画像データの個数“ＲＥＭ ７”）が表示されている。
【００５８】
次にこの状態において、キー入力部の所定の操作検出により副画像データの追加指示を検出したか否かを判断する（ステップＳＢ５）。副画像データの追加指示を検出しなかった場合は（ステップＳＢ５→Ｎｏ）、後述の削除処理（ステップＳＣ１以降）に移行するが、副画像データの追加指示を検出すると（ステップＳＢ５→Ｙｅｓ）、副画像識別ＩＦＤ設定領域の設定内容に基づいて設定個数＝記録済みの個数か否か、すなわち、副画像識別ＩＦＤ設定領域について全てが“Ａｃｔｉｖｅ”若しくは“Ｓｋｉｐ（非表示）”になっているか否かを判断する（ステップＳＢ６）。
【００５９】
副画像識別ＩＦＤ設定領域について、全てが“Ａｃｔｉｖｅ”若しくは“Ｓｋｉｐ（非表示）”になっていない場合（ステップＳＢ６→Ｎｏ）、すなわち、“Ｎｏｎ−ｕｓｅ”が設定されている副画像ＩＦＤが存在する場合は、追加記録可能と判断し、追加処理に移行する。
一方、副画像識別ＩＦＤ設定領域について、全てが“Ａｃｔｉｖｅ”若しくは“Ｓｋｉｐ（非表示）”になっている場合（ステップＳＢ６→Ｙｅｓ）、新たに副画像データを管理する必要があるため、管理領域１０１２に設定される副画像識別ＩＦＤ設定領域を所定数追加設定する処理に移行する（ステップＳＢ７）。
【００６０】
次にキー入力部１３による所定の操作等を検出することにより、追加方法として主画像データ、副画像データの編集による追加か、新規撮影（撮像）して追加するかの何れかが選択指示されたか否かを判断する（ステップＳＢ８）。主画像データ、副画像データの編集による追加が選択指示された場合、表示部１２にプレビュー画像として表示されている画像に対応する主画像データ、若しくは副画像データを読み出すとともに（ステップＳＢ９）、プログラムメモリ９に格納されている編集プログラムを読み出し、キー入力部１３による所定の操作の検出、若しくは自動的な編集処理を行う（ステップＳＢ１０）。
【００６１】
尚、この編集処理には、リサイズ、トリミング、フィルタリング等のパラメータ変更処理が含まれるが、画像データに含まれる顔画像等、特定の画像を認識させて所定サイズにトリミングする等、様々な処理が含まれる。そして、編集された画像はキー入力部１３による所定の操作の検出により副画像データとしてファイルに追加される（ステップＳＢ１１）。
【００６２】
一方、新規撮影（撮像）が選択指示された場合、制御部１１はプログラムメモリ９から撮像処理に係るプログラムを読み出して実行し、撮像部３、ユニット回路５、画像処理部５、ＲＡＭ１０、符号化／復号化処理部６、及び、プレビューエンジン７に初期動作を行わせ、スルー表示状態において表示部１２に周期的に撮像されている画像とともに、設定された副画像枚数、記録済みの副画像枚数、及び、未使用の副画像枚数（副画像の残枚数）を表示する（ステップＳＢ１２）。
【００６３】
そして、このスルー表示状態において、撮像部３にて結像される画像の記録指示の検出を待ち（ステップＳＢ１３）、記録指示が検出されると（ステップＳＢ１３→Ｙｅｓ）、その時に撮像部３にて結像される画像について、符号化／復号化処理部６が圧縮符号化処理（副画像データの生成）を行なう（ステップＳＢ１４）。また、この処理により上記の編集若しくは新規撮影によりファイルに副画像データが追加されると、このファイルの主画像ヘッダ１０１の副画像識別ＩＦＤ設定領域の設定内容を書き換えて修正する処理を行う（ステップＳＢ１５）。
【００６４】
図８（ｂ）は、図８（ａ）よりスルー表示状態において副画像データが新たに追加された状態を示すものである。同図においては、編集、若しくは新規撮影により副画像データ（データ量１．０３ＭＢ）を追加記録した時を示すものであり、表示部１２には、レーシングカーの画像とともに、情報表示領域１２３には、このファイルの容量（６．２８ＭＢ（５．２５ＭＢ＋１．０３ＭＢ））、設定された副画像の枚数（副画像データの個数“Ｔｏｔａｌ １０”）、記録済みの副画像の枚数（副画像データの個数“Ｕｓｅ ４”）、及び、追加記録できる副画像の残枚数（副画像データの個数“ＲＥＭ ６”）が表示されている。
【００６５】
この後、キー入力部１３からの所定の操作を検出することにより、本処理の終了が指示されたか否かを判断し（ステップＳＢ１６）、終了が指示されなければ（ステップＳＢ１６→Ｎｏ）ステップＳＢ４に移行し、終了が指示されると（ステップＳＢ１６→Ｙｅｓ）、本ファイルを画像記録部８に再記録し（ステップＳＢ１７）本処理を終了する。
【００６６】
図９（ａ）、（ｂ）は、上記図７のフローチャートにて編集されるファイルの編集過程のファイル構成を示したものである。
同図において、各参照番号で定義される構成は上記図３（ａ）〜（ｄ）、図６（ａ）〜（ｄ）と同様なのでその説明は省略するが、図９（ａ）に図示する内容は、図７のフローチャートのステップＳＢ４、若しくはそれ以前（画像記録部８に記録されている状態）を示している。つまり、このファイル１００の副画像識別ＩＦＤ設定領域（ＩＦＤ００〜０９）は２００〜２０９までの１０個が予め設定された状態で主画像ヘッダ１０１に書き込まれ記憶保存されていたことになる。そして、副画像データ設定領域１０３０〜１０３２までが既にファイルに含まれていることから、副画像識別ＩＦＤ設定領域２００〜２０２については“Ａｃｔｉｖｅ”が、それ以降は“Ｎｏｎ−ｕｓｅ”が設定されている。
【００６７】
一方、図９（ｂ）に図示する内容は、図７のフローチャートのステップＳＢ１５におけるファイル構成を示している。つまり、編集、新規撮影により副画像データ設定領域１０３０〜１０３３までが既にファイルに含まれていることから、副画像識別ＩＦＤ設定領域２００〜２０３については“Ａｃｔｉｖｅ”が、それ以降は“Ｎｏｎ−ｕｓｅ”が設定されている。
【００６８】
このように、本フローチャートによれば、撮像装置で副画像データが含まれるファイルに新たに副画像データを追加記録する場合において、追加したいファイルの画像データに基づく画像を表示させてから、副画像データを編集、若しくは新規撮影して追加記録できるので、主画像データと副画像データ、若しくは副画像データ同士の関連性を見失うことなく容易に追加記録できるという効果が得られる。
【００６９】
また、新規に追加したい場合は、画像の表示から撮像処理にスムーズに移行し、また、記録した画像を副画像データとして含めさせることが容易となるため主画像データと副画像データ、若しくは副画像データ同士の関連性を見失うことなく容易に追加記録できるという効果が得られる。
【００７０】
更に、スルー表示状態において、追加記録される前のファイルの容量や、設定されている副画像データの個数、記録済みの副画像データの個数、更には、新規に追加可能な副画像データの個数を表示するので、操作者にとって、「後何枚副画像を記録できるのか？」を容易に把握できるという効果が得られる。
【００７１】
尚、このフローチャートにおいては、副画像データは主画像データに従属する形として副画像識別ＩＦＤ設定領域に設定されることを前提としているが、新たに追加する副画像データを既にファイルに含まれている副画像データに従属させる形で含ませても良い。この場合、新たに“Ａｃｔｉｖｅ”に設定される副画像識別ＩＦＤ設定領域には、既に含まれている副画像データと関連付けられているという情報が設定される。
また、追加記録される副画像データについては、その副画像識別ＩＦＤ設定領域の副画像識別ＩＦＤ Ｎｏ．を任意に設定できるようにしても良い。この場合、制御部１１は、任意に設定された副画像識別ＩＦＤ Ｎｏ．に対応して、副画像データ設定領域を新たに追加、ソート（挿入）する処理を行う。
【００７２】
Ｄ．画像データ削除処理
次に、撮像装置１における画像データの削除処理について説明する。
図１０は画像データの削除処理を示すフローチャートである。
同図は、図７のステップＳＢ５にてＮｏ判定、すなわち、追加記録しないことが検出された状態から続く処理である。
【００７３】
制御部１１は、キー入力部の所定の操作検出により画像データ（ファイル）の削除指示を検出したか否かを判断する（ステップＳＣ１）。削除指示を検出しなかった場合は（ステップＳＣ１→Ｎｏ）、その他のファイル操作処理（ステップＳＣ１４）に移行するが、削除指示を検出すると（ステップＳＣ１→Ｙｅｓ）、その削除対象は主画像データ、すなわち、ファイルそのものか、或いは、ファイルに含まれる副画像データかを判断する（ステップＳＣ２）。
【００７４】
削除対象がファイルの場合、キー入力部１３にて検出される選択指示操作、削除指示操作に従い、表示部１２に表示されている画像（プレビュー画像）に対応するファイルを画像記録部８から削除し本処理を終了させるが、削除対象が副画像データの場合は、表示部１２にプレビュー画像として表示されている直近の画像に対応するファイルを画像記録部８から読み出し（ステップＳＣ３）、更に、この読み出されたファイルの主画像ヘッダ１０１の管理領域１０１２を読み出し副画像識別ＩＦＤ設定領域２００〜２０９の副画像識別ＩＦＤ Ｎｏ．（番号）の若い順から“Ａｃｔｉｖｅ”に設定されている副画像データを読み出す（ステップＳＣ４）。
【００７５】
次いで読み出された副画像データに対応する副画像とともに、その副画像に対応する副画像データの副画像識別ＩＦＤ Ｎｏ．、ファイルのデータ量、この副画像データのファイル量、設定された副画像枚数、記録済みの副画像枚数、及び、未使用の副画像枚数（副画像の残枚数）を表示する（ステップＳＣ５）。
【００７６】
図１１（ａ）はこの時の表示部１２の表示状態を示すものである。同図において、表示部１２には、レーシングカーの画像とともに、情報表示領域１２４には、この副画像データの副画像識別ＩＦＤ Ｎｏ．（ＩＦＤ ０１）、この副画像データのデータ量（１．２５ＭＢ）、この副画像データが含まれるファイルのファイル量（同図において（ ）内に表示された５．２５ＭＢ）、設定された副画像の枚数（副画像データの個数“Ｔｏｔａｌ １０”）、記録済みの副画像の枚数（副画像データの個数“Ｕｓｅ ３”）、及び、追加記録できる副画像の残枚数（副画像データの個数“ＲＥＭ ７”）が表示されている。
【００７７】
このスルー表示状態において、キー入力部１３の所定の操作検出による指示内容を待ち（ステップＳＣ６）、指示を検出しなかった場合は（ステップＳＣ６→Ｎｏ）ステップＳＣ４に移行し、指示を検出した場合は（ステップＳＣ６→Ｙｅｓ）、その指示内容が非表示か、或いは、削除かを判断する（ステップＳＣ７）。
指示内容が削除であると判断した場合、表示部に表示されている副画像について、その副画像データをファイルから削除し（ステップＳＣ８）、このファイルの主画像ヘッダ１０１の削除された副画像データに対応する副画像識別ＩＦＤ設定領域の設定内容“Ａｃｔｉｖｅ”について“Ｎｏｎ−ｕｓｅ”を書き込む修正処理を行う（ステップＳＣ９）。
【００７８】
この後、キー入力部１３からの所定の操作を検出することにより、本処理の終了が指示されたか否かを判断し（ステップＳＣ１０）、終了が指示されなければ（ステップＳＣ１０→Ｎｏ）ステップＳＣ４に移行し、終了が指示されると（ステップＳＣ１０→Ｙｅｓ）、本ファイルを画像記録部８に再記録し（ステップＳＢ１１）本処理を終了する。
【００７９】
一方、ステップＳＣ７にて、指示内容が非表示であると判断した場合、表示部に表示されている副画像の副画像データに対応する副画像識別ＩＦＤ設定領域の設定内容“Ａｃｔｉｖｅ”について“Ｓｋｉｐ”を書き込む修正処理を行う（ステップＳＣ１２）。
この後、キー入力部１３からの所定の操作を検出することにより、本処理の終了が指示されたか否かを判断し（ステップＳＣ１０）、終了が指示されなければ（ステップＳＣ１０→Ｎｏ）ステップＳＣ４に移行し、終了が指示されると（ステップＳＣ１０→Ｙｅｓ）、本ファイルを画像記録部８に再記録し（ステップＳＢ１１）本処理を終了する。
【００８０】
図１１（ｂ）はステップＳＣ１２を経てステップＳＣ４に移行した時の表示部１２の表示状態を示すものである。同図において、表示部１２には、レーシングカーの画像とともに、情報表示領域１２５には、ファイル量（５．２５ＭＢ）、設定された副画像の枚数（副画像データの個数“Ｔｏｔａｌ １０”）、記録済みの副画像の枚数（記録済み副画像データの個数“Ｕｓｅ ３”と非表示設定されている副画像データの個数“Ｓｋｉｐ １”の合計数４）、内、非表示設定されている副画像の枚数（同図において（ ）内に表示された非表示設定されている副画像データの個数“Ｓｋｉｐ １”）、及び、追加記録できる副画像の残枚数（副画像データの個数“ＲＥＭ ６”）が表示されている。
【００８１】
図１２（ａ）〜（ｃ）は、上記図７のフローチャートにて編集されるファイルの編集過程のファイル構成を示したものである。
【００８２】
同図において、各参照番号で定義される構成は上記図３（ａ）〜（ｄ）、図６（ａ）〜（ｄ）、及び、図９（ａ）、（ｂ）と同様なのでその説明は省略するが、図１２（ａ）に図示する内容は、図１０のフローチャートのステップＳＢ４、若しくはそれ以前（画像記録部８に記録されている状態）を示している。つまり、このファイル１００の副画像識別ＩＦＤ設定領域（ＩＦＤ００〜０９）は２００〜２０９までの１０個が予め設定された状態で主画像ヘッダ１０１に書き込まれ記憶保存されていたことになる。そして、副画像データ設定領域１０３０〜１０３２までが既にファイルに含まれていることから、副画像識別ＩＦＤ設定領域２００〜２０２については“Ａｃｔｉｖｅ”が、それ以降は“Ｎｏｎ−ｕｓｅ”が設定されている。
【００８３】
一方、図１２（ｂ）に図示する内容は、図１０のフローチャートのステップＳＣ９におけるファイル構成を示している。つまり、副画像データ設定領域１０３２に設定されていた副画像データが削除され、この副画像データ設定領域１０３２に対応する副画像識別ＩＦＤ設定領域は“Ａｃｔｉｖｅ”から“Ｎｏｎ−ｕｓｅ”に変更されている。
また、図１２（ｃ）に図示する内容は、図１０のフローチャートのステップＳＣ１２におけるファイル構成を示している。つまり、副画像データ設定領域１０３２に対応する副画像識別ＩＦＤ設定領域は“Ａｃｔｉｖｅ”から“Ｓｋｉｐ”に変更されている。
【００８４】
このように、本フローチャートによれば、撮像装置で副画像データが含まれるファイルを削除する場合においては、主画像データを削除対象とした場合は、その主画像データが含まれるファイル自体を画像記録部８から削除するとともに、副画像データを削除対象としたときには、削除対象となる副画像データに基づく副画像を表示させてから、その副画像データのみを削除できるので、主画像データと副画像データ、若しくは副画像データ同士の関連性を見失うことなく容易に不要な副画像データを削除できるという効果が得られる。
【００８５】
また、特定の副画像について削除せずに非表示としたい場合は、上記の削除処理と同様、非表示対象となる副画像データに基づく副画像を表示させてから、その副画像データのみを非表示設定できるので、主画像データと副画像データ、若しくは副画像データ同士の関連性を見失うことなく容易に副画像データを操作できるという効果が得られる。
【００８６】
更に、スルー表示状態においては、表示されている副画像が何番目の副画像データに基づくものなのか、また、副画像データのデータ量やファイル量、設定されている副画像データの個数、記録済みの副画像データの個数、新規に追加可能な副画像データの個数、非表示設定されている副画像データの個数を表示するので、操作者にとって、「副画像がどのような状態か？」を表示されている画像とともに容易に把握できるという効果が得られる。
【００８７】
尚、本実施の形態においては、撮像装置におけるファイルの新規作成、追加記録、及び、削除処理について述べたが、これに限ることなく、撮像した画像からファイルを新規に作成、追加記録、及び、編集することが可能な機器、方法、プログラムであれば、これに限ることなく適用可能である。
【符号の説明】
【００８８】
１ 撮像装置
３ 撮像部
４ 表示部
６ 符号化／復号化処理部
８ 画像記録部
９ プログラムメモリ
１０ ＲＡＭ
１１ 制御部
１２ 表示部
１３ キー入力部
１００ ファイル
１０１ 主画像ヘッダ
１０２ 主画像データ設定領域
１２０〜１２５ 情報表示領域
２００〜２０９ 副画像識別ＩＦＤ設定領域
１０１２ 管理領域
１０３０〜１０３３ 副画像データ設定領域
【図１】
2010051035.tif 000003
【図２】
2010051035.tif 000004
【図３】
2010051035.tif 000005
【図４】
2010051035.tif 000006
【図５】
2010051035.tif 000007
【図６】
2010051035.tif 000008
【図７】
2010051035.tif 000009
【図８】
2010051035.tif 000010
【図９】
2010051035.tif 000011
【図１０】
2010051035.tif 000012
【図１１】
2010051035.tif 000013
【図１２】
2010051035.tif 000014
【手続補正書】
【提出日】平成22年1月14日(2010.1.14)
【手続補正１】
【補正対象書類名】明細書
【補正対象項目名】０００８
【補正方法】変更
【補正の内容】
【０００８】
請求項１記載の発明は、撮像手段と、この撮像手段によって撮像された画像を一時的に記憶する第１の記憶手段と、この第１の記憶手段に記憶された画像から少なくとも主画像データ、及び、副画像データを生成するデータ生成手段と、このデータ生成手段によって生成された各画像データを一つのファイルとして記憶するための第２の記憶手段と、前記ファイルの前記主画像データの管理領域に、前記副画像データを管理するための書き換え可能な管理情報を予め設定された個数分設定する管理領域設定手段と、前記第２の記憶手段に前記ファイルを記憶させるに際し、前記管理領域設定手段によって設定された内容に基づいて記憶するよう制御する記憶制御手段と、を備えたことを特徴とする。
【手続補正２】
【補正対象書類名】明細書
【補正対象項目名】０００９
【補正方法】変更
【補正の内容】
【０００９】
請求項２記載の発明は、上記請求項１記載の発明において、前記第２の記憶制御手段による制御により前記第２の記憶手段に記憶された、ファイルに含まれる前記管理情報の内容を書き換える書き換え手段を更に備えたことを特徴とする。
【手続補正３】
【補正対象書類名】明細書
【補正対象項目名】００１０
【補正方法】変更
【補正の内容】
【００１０】
請求項３記載の発明は、上記請求項２記載の発明において、前記書き換え手段は、当該装置外部からの操作を検出することにより前記管理情報の内容を書き換えることを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
請求項４記載の発明は、撮像された画像を第１のメモリに記憶させる第１の記憶制御ステップと、この第１の記憶制御ステップにて記憶された画像から少なくとも主画像データ、及び、副画像データを生成するデータ生成ステップと、このデータ生成ステップにて生成された各画像データを一つのファイルとした時のこのファイルの前記主画像データの管理領域に、前記副画像データを管理するための書き換え可能な管理情報を予め設定された個数分設定する管理領域設定ステップと、前記第１のデータ生成ステップに生成された各画像データを一つのファイルとして記憶するための第２のメモリに前記ファイルを記憶させるに際し、前記管理領域設定ステップにて設定された内容に基づいて記憶するよう制御する第２の記憶制御ステップと、を含むことを特徴とする。
【手続補正１４】
【補正対象書類名】明細書
【補正対象項目名】００２１
【補正方法】変更
【補正の内容】
【００２１】
請求項５記載の発明は、画像記憶処理装置が有するコンピュータを、撮像された画像を第１のメモリに記憶させる第１の記憶制御手段、この第１の記憶制御手段によって記憶された画像から少なくとも主画像データ、及び、副画像データを生成するデータ生成手段、このデータ生成手段によって生成された各画像データを一つのファイルとした時のこのファイルの前記主画像データの管理領域に、前記副画像データを管理するための書き換え可能な管理情報を予め設定された個数分設定する管理領域設定手段、前記データ生成手段によって生成された各画像データを一つのファイルとして記憶するための第２のメモリに前記ファイルを記憶させるに際し、前記管理領域設定手段によって設定された内容に基づいて記憶するよう制御する第２の記憶制御手段、として機能させることを特徴とする。
【手続補正１５】
【補正対象書類名】明細書
【補正対象項目名】００２３
【補正方法】変更
【補正の内容】
【００２３】
【図１】本発明の一実施の形態に係る撮像装置の回路構成図である。
【図２】本発明の実施の形態における撮像、及び、新規ファイル生成処理のフローチャートである。
【図３】同実施の形態におけるファイル構成を示す図である。
【図４】同実施の形態における表示例である。
【図５】本発明の実施の形態における撮像、及び、新規ファイル生成処理（変形例）のフローチャートである。
【図６】同実施の形態におけるファイル構成を示す図である。
【図７】本発明の実施の形態における副画像データの追加記録処理のフローチャートである。
【図８】同実施の形態における表示例である。
【図９】同実施の形態におけるファイル構成を示す図である。
【図１０】本発明の実施の形態における画像データの削除処理のフローチャートである。
【図１１】同実施の形態における表示例である。
【図１２】同実施の形態におけるファイル構成を示す図である。
【手続補正１６】
【補正対象書類名】明細書
【補正対象項目名】００３７
【補正方法】変更
【補正の内容】
【００３７】
そして、このスルー表示状態において、記録指示の検出を待ち（ステップＳＡ１４）、記録指示が検出されると（ステップＳＡ１４→Ｙｅｓ）、ステップＳＡ７に戻り、撮像部３にて結像される画像や、ＲＡＭ１０において一時的に記憶された画像データについて、上記の設定操作とは別に操作者の操作により、或いは、プログラムメモリ９に格納されている撮影プログラムにより予め設定された副画像の個数分、符号化／復号化処理部６が圧縮符号化処理（副画像データの生成）を行なう。
次に、上記のフローチャートにおいて生成されるファイルの生成過程を、図３を用いて詳述する。
【手続補正１７】
【補正対象書類名】明細書
【補正対象項目名】００４８
【補正方法】変更
【補正の内容】
【００４８】
次に、撮像部３にて結像された画像に対応する主画像データ、及び、副画像データを符号化／復号化処理部６にて生成させ（ステップＳＡ２４）、これら生成された主画像データ、副画像データについて副画像識別ＩＦＤ設定領域の設定・書き込みを含む各情報を主画像ヘッダに書き込み（ステップＳＡ２５）、書き込みが完了したか否かを判断する（ステップＳＡ２６）、書き込みが完了していない場合は上記のステップＳＡ２５に戻るが、書き込みが完了したと判断すると、図２のステップＳＡ１０、すなわち、上記主画像ヘッダ、主画像データ及び、副画像データを含むファイルの生成処理を行う。
【手続補正１８】
【補正対象書類名】明細書
【補正対象項目名】００８１
【補正方法】変更
【補正の内容】
【００８１】
図１２（ａ）〜（ｃ）は、上記図１０のフローチャートにて編集されるファイルの編集過程のファイル構成を示したものである。
【手続補正１９】
【補正対象書類名】明細書
【補正対象項目名】００８２
【補正方法】変更
【補正の内容】
【００８２】
同図において、各参照番号で定義される構成は上記図３（ａ）〜（ｄ）、図６（ａ）〜（ｄ）、及び、図９（ａ）、（ｂ）と同様なのでその説明は省略するが、図１２（ａ）に図示する内容は、図１０のフローチャートのステップＳＣ４、若しくはそれ以前（画像記録部８に記録されている状態）を示している。つまり、このファイル１００の副画像識別ＩＦＤ設定領域（ＩＦＤ００〜０９）は２００〜２０９までの１０個が予め設定された状態で主画像ヘッダ１０１に書き込まれ記憶保存されていたことになる。そして、副画像データ設定領域１０３０〜１０３２までが既にファイルに含まれていることから、副画像識別ＩＦＤ設定領域２００〜２０２については“Ａｃｔｉｖｅ”が、それ以降は“Ｎｏｎ−ｕｓｅ”が設定されている。
【手続補正２０】
【補正対象書類名】特許請求の範囲
【補正対象項目名】全文
【補正方法】変更
【補正の内容】
【特許請求の範囲】
【請求項１】
撮像手段と、
この撮像手段によって撮像された画像を一時的に記憶する第１の記憶手段と、
この第１の記憶手段に記憶された画像から少なくとも主画像データ、及び、副画像データを生成するデータ生成手段と、
このデータ生成手段によって生成された各画像データを一つのファイルとして記憶するための第２の記憶手段と、
前記ファイルの前記主画像データの管理領域に、前記副画像データを管理するための書き換え可能な管理情報を予め設定された個数分設定する管理領域設定手段と、
前記第２の記憶手段に前記ファイルを記憶させるに際し、前記管理領域設定手段によって設定された内容に基づいて記憶するよう制御する記憶制御手段と、
を備えたことを特徴とする画像記憶処理装置。
【請求項２】
前記第２の記憶制御手段による制御により前記第２の記憶手段に記憶された、ファイルに含まれる前記管理情報の内容を書き換える書き換え手段を更に備えたことを特徴とする請求項１記載の画像記憶処理装置。
【請求項３】
前記書き換え手段は、当該装置外部からの操作を検出することにより前記管理情報の内容を書き換えることを特徴とする請求項２記載の画像記憶処理装置。
【請求項４】
撮像された画像を第１のメモリに記憶させる第１の記憶制御ステップと、
この第１の記憶制御ステップにて記憶された画像から少なくとも主画像データ、及び、副画像データを生成するデータ生成ステップと、
このデータ生成ステップにて生成された各画像データを一つのファイルとした時のこのファイルの前記主画像データの管理領域に、前記副画像データを管理するための書き換え可能な管理情報を予め設定された個数分設定する管理領域設定ステップと、
前記第１のデータ生成ステップに生成された各画像データを一つのファイルとして記憶するための第２のメモリに前記ファイルを記憶させるに際し、前記管理領域設定ステップにて設定された内容に基づいて記憶するよう制御する第２の記憶制御ステップと、
を含むことを特徴とする画像記憶処理方法。
【請求項５】
画像記憶処理装置が有するコンピュータを、
撮像された画像を第１のメモリに記憶させる第１の記憶制御手段、
この第１の記憶制御手段によって記憶された画像から少なくとも主画像データ、及び、副画像データを生成するデータ生成手段、
このデータ生成手段によって生成された各画像データを一つのファイルとした時のこのファイルの前記主画像データの管理領域に、前記副画像データを管理するための書き換え可能な管理情報を予め設定された個数分設定する管理領域設定手段、
前記データ生成手段によって生成された各画像データを一つのファイルとして記憶するための第２のメモリに前記ファイルを記憶させるに際し、前記管理領域設定手段によって設定された内容に基づいて記憶するよう制御する第２の記憶制御手段、
として機能させることを特徴とする記憶処理プログラム。